(57)【要約】      （修正有）【課題】ころ軸受用保持器において異物をころ転走面や軌道面から掻き取って、異物の噛み込みによるそれらの摩耗等の不具合を低減させること。【解決手段】円周方向で隣り合う柱部間にころ収納用の窓孔を備えたころ軸受用保持器１０において、柱部１４の内側面１４に、ころ１６に付着した異物２６を掻き取るための凹溝２２を設けられている。また、柱部１４の内径面１４ｂまたは外径面１４ｃに軌道面に付着した異物を掻き取るための凸部２８が設けられている。【選択図】図３
2006112584.tif 000002
【特許請求の範囲】
【請求項１】
円周方向で隣り合う柱部間にころ収納用の窓孔を備えたころ軸受用保持器において、上記柱部の内側面にころに付着した異物を掻き取るための凹溝を設けた、ことを特徴とするころ軸受用保持器。
【請求項２】
円周方向で隣り合う柱部間にころ収納用の窓孔を備えたころ軸受用保持器において、上記柱部の内径面または外径面に軌道面に付着した異物を掻き取るための凸部を設けた、ことを特徴とするころ軸受用保持器。
【発明の詳細な説明】
【技術分野】
【０００１】
本発明は、ころ軸受用保持器に関する。
【背景技術】
【０００２】
例えばディーゼルエンジンにおいてエンジン内で発生したカーボンスーツ等の燃焼生成物やその他の異物がエンジンオイルに混入していると、エンジン内部の摺動面に対し摩耗等の損傷を与えてしまうという問題があり、エンジンにとり好ましくないものである（特許文献１参照）。エンジンの動弁機構やその他各種のカム機構、遊星歯車機構等に用いられるカムフォロアや針状ころ軸受等の軸受においても軸受内部にそれら異物が侵入してきてころの転走面や軌道輪の軌道面に付着すると、それらの摩耗を促進させて、転がり特性の早期低下、ころ軸受の短寿命化を来し、上記各機構の性能低下の要因にもなるという不具合がある。
【特許文献１】特開平０８−０３５４０８号公報
【発明の開示】
【発明が解決しようとする課題】
【０００３】
したがって、本発明により解決すべき課題は、上記異物をころ転走面や軌道面から掻き取って、異物の噛み込みによるそれらの摩耗等の不具合を低減させることである。
【課題を解決するための手段】
【０００４】
本発明による第１のころ軸受用保持器は、円周方向で隣り合う柱部間にころ収納用の窓孔を備えたころ軸受用保持器において、上記柱部の内側面にころに付着した異物を掻き取るための凹溝を設けたことを特徴とするものである。
【０００５】
第１のころ軸受用保持器によれば、ころに付着している異物は窓孔内を転動するころが凹溝の開口端縁に当接することにより該ころから掻き取ることができるので、異物によるころ転走面の摩耗が低減され、ころ軸受の長寿命化が可能となる。
【０００６】
上記において、凹溝の開口端縁の形状は、鋭角に尖っていても丸みを帯びていてもよい。凹溝は柱部の内側面に１つでも複数でもよい。凹溝の軸方向断面形状は、コ字形状、Ｕ字形状、Ｖ字形状、等何でもよい。
【０００７】
本発明による第２のころ軸受用保持器は、円周方向で隣り合う柱部間にころ収納用の窓孔を備えたころ軸受用保持器において、上記柱部の内径面または外径面に軌道面に付着した異物を掻き取るための凸部を設けたことを特徴とするものである。
【０００８】
第２のころ軸受用保持器によれば、凸部が軌道面上を摺動することにより軌道面に付着している異物を軌道面から掻き取ることができるので、異物による軌道面の摩耗が低減され、ころ軸受の長寿命化が可能となる。
【０００９】
凸部は、軌道面の移動方向とは反対方向に向けて突出していることが、凸部による異物の掻き取り効率が向上することができて好ましい。この凸部の突出形状は平面視が三角状、湾曲状、その他の形状でもよい。また、凸部を軌道面の移動方向とは反対方向に向かう２つの掻き取り面により三角形の２辺を構成し、両掻き取り面の突合わせ部をテーパ状とした形状にすると、異物の掻き取り効果を高める上で好ましい。
【００１０】
第１および第２のころ軸受用保持器は、ラジアルころ軸受用保持器、スラストころ軸受用保持器のいずれも含む。
【発明の効果】
【００１１】
本発明によると、ころ転走面や軌道面に噛み込むなどして付着している異物を効果的に排除することができるので、ころ転走面や軌道面の摩耗を低減することができ、その転がり特性の向上、ひいては長寿命化を達成することができる。
【発明を実施するための最良の形態】
【００１２】
以下、添付した図面を参照して本発明の実施の形態に係るころ軸受用保持器を説明する。
【００１３】
図１ないし図３は、本発明の実施の形態１に係るころ軸受用保持器に係り、図１はころ軸受用保持器の斜視図、図２は、図１の要部の断面図、図３はころ転走面から異物を掻き取るための凹溝の作用の説明に供する斜視図である。
【００１４】
これらの図を参照して、ころ軸受用保持器１０は、ラジアルころ軸受用であり、対向する一対の円環部１２と、両円環部１２の対向内周面間に円周方向に所定間隔をおいて並設した複数の柱部１４とからなる。円周方向で隣り合う柱部１４間には、ころ１６を収納可能な窓孔１８が形成されている。柱部１４の内側面に設けられるころ止めは図解の都合で図示していない。保持器１０は、相対回転部材である径内側の部材例えば内輪や軸と、径外側の部材例えば外輪やハウジングとの間に介装される。
【００１５】
保持器１０は、鋼材や合金等を旋削により所定の断面形状にした後、窓孔１８を打ち抜き形成してもよく、板金にプレス加工により所定の断面形状にした後、窓孔１８を打ち抜き形成し、円環状に折曲げて両端を溶接したものでもよい。
【００１６】
また、射出成形等により形成した樹脂保持器でもよい。
【００１７】
以上の構成を備えた実施の形態１のころ軸受用保持器１０においては、柱部１４の内側面１４ａに、ころ１６に付着した異物を掻き取るための、断面コ字形状の凹溝２２が設けられている。この凹溝２２は、柱部１４の幅方向全体にわたって設けられている。
【００１８】
以上の凹溝２２を備えたころ軸受用保持器１０によれば、図３で示すように、ころ１６が内輪軌道面２４を転走しているとき、凹溝２２が異物掻き取りスクレーパとして作用することにより、ころ転走面１６ａに付着しているカーボンスーツ等の異物２６を効率よく掻き取ることができる。その結果、ころ転走面１６ａに付着する異物２６の量が減り、ころ転走面１６ａへの異物２６の噛み込みによる該ころ転走面１６ａの摩耗が減少し、ころ１６の回転特性が向上し、ひいては、ころ軸受の長寿命化を達成することができる。
【００１９】
図４ないし図６を参照して本発明の実施の形態２に係るころ軸受用保持器を説明する。これらの図において、図１ないし図３と同一ないし対応する部分には同一の符号を付し、同一の符号に係る部分の説明は省略する。これらの図を参照して、実施の形態２のころ軸受用保持器１０は、ラジアルころ軸受用であり、内輪案内方式になっている。このころ軸受用保持器１０は、柱部１４において内輪軌道面に接触して案内される内径面（案内面）１４ｂに、内輪軌道面２４に付着した異物を掻き取る凸部２８が柱部１４の幅方向全体にわたって設けられている。上記凸部２８は、内輪軌道面２４の図中矢印で示す移動方向とは反対方向に向けて三角状ないしは山形状に突出している。すなわち、凸部２８は、その軸方向両端部から中央部に向けて三角状ないしは山形状に突出しかつ円周方向に対して所定角度で傾斜した一対の掻き取り面２８ａを備え、両掻き取り面２８ａの突合わせ部２８ｂは内輪軌道面２４の移動方向にテーパ形状となって、異物をより掻き取り易くしている。両掻き取り面２８ａの突合わせ部２８ｂは鋭角であるが、丸みを持たせてもよい。
【００２０】
また、上記凸部２８は周方向の片側だけでなく、両方向に形成し軸受の左右いずれの回転方向にも対応できるようにしてもよい。
【００２１】
以上の構成を備えた実施の形態２のころ軸受用保持器１０においては、内輪軌道面２４に付着しているカーボンスーツ等の異物２６は、内輪軌道面２４の矢印方向の移動に伴ない、凸部２８が内輪軌道面２４上を摺動することにより内輪軌道面２４から掻き取られる。その結果、異物２６による内輪軌道面２４の摩耗が低減され、ころ軸受の長寿命化が可能となる。上記の場合、凸部２８が内輪軌道面２４の移動方向とは反対方向に向けて三角状ないしは山形状に突出しているので、該凸部２８による異物２６の掻き取り効率がより向上している。
【００２２】
図７を参照して、本発明の実施の形態３に係るころ軸受用保持器１０を説明すると、実施の形態３のころ軸受用保持器１０は、ラジアルころ軸受用であり、外輪案内方式になっている。このころ軸受用保持器１０は、柱部１４において図示略の外輪軌道面に接触して案内される外径面（案内面）１４ｃに、外輪軌道面に付着した異物を掻き取る凸部２８が柱部１４の幅方向全体にわたって設けられている。上記凸部２８は、外輪軌道面の移動方向とは反対方向に向けて三角状ないしは山形状に突出している。
【００２３】
以上の構成を備えた実施の形態３のころ軸受用保持器１０においては、外輪軌道面に付着しているカーボンスーツ等の異物は、凸部２８が異物掻き取りスクレーパとして作用することにより、外輪軌道面から掻き取られる。その結果、異物による外輪軌道面の摩耗が低減され、ころ軸受の長寿命化が可能となる。上記の場合、凸部２８が外輪軌道面の移動方向とは反対方向に向けて三角状ないしは山形状に突出しているので、該凸部２８による異物の掻き取りの効率がより向上する。
【００２４】
本発明は、図８ないし図１０でそれぞれ示すようにスラストころ軸受用の保持器にも適用することができる。図８は実施の形態４のころ軸受用保持器であり、対向する一対の円環部１２と、両円環部１２の対向内周面間に円周方向に所定間隔をおいて並設した複数の柱部１４とからなる。円周方向で隣り合う柱部１４間には、ころ１６を収納可能な窓孔１８が形成されている。実施の形態４のころ軸受用保持器１０においては、柱部１４の内側面１４ａに、ころ１６に付着した異物を掻き取るための凹溝２２がころ全長分にわたり設けられている。図９は実施の形態５のころ軸受用保持器であり、内輪案内方式のものであり、柱部１４において内輪軌道面に接触して案内される内径面（案内面）に、内輪軌道面に付着した異物を掻き取るための凸部２８が柱部１４の幅方向全体にわたって設けられている。上記凸部２８は、内輪軌道面の移動方向とは反対方向に向けて三角状ないしは山形状に突出している。図１０は実施の形態６のころ軸受用保持器であり、外輪案内方式のものであり、柱部１４において外輪軌道面に接触して案内される外径面（案内面）に、外輪軌道面に付着した異物を掻き取るための凸部２８が柱部１４の幅方向全体にわたって設けられている。上記凸部２８は、外輪軌道輪の回転方向とは反対方向に向けて三角状ないしは山形状に突出している。
【００２５】
これらスラストころ軸受保持器においても、それぞれ、凹溝２２、凸部２８により、ころ転走面や軌道面に噛み込んで付着している異物を効率的に掻き取ることができる。
【００２６】
なお、上記実施の形態３，５，６における上記凸部２８も実施の形態２と同様に周方向の両側面に形成してもよい。
【図面の簡単な説明】
【００２７】
【図１】実施の形態１に係るころ軸受用保持器の斜視図である。
【図２】図１の要部の断面図である。
【図３】凹溝の作用の説明に供する斜視図である。
【図４】実施の形態２に係るころ軸受用保持器の斜視図である。
【図５】図４の要部の断面図である。
【図６】凸部の作用の説明に供する斜視図である。
【図７】実施の形態３に係るころ軸受用保持器の斜視図である。
【図８】実施の形態４に係るころ軸受用保持器の部分斜視図である。
【図９】実施の形態５に係るころ軸受用保持器の部分斜視図である。
【図１０】実施の形態６に係るころ軸受用保持器の部分斜視図である。
【符号の説明】
【００２８】
１０  ころ軸受用保持器
１２  円環部
１４  柱部
１４ａ  柱部の内側面
１４ｂ  柱部の内径面
１４ｃ  柱部の外径面
１６  ころ
１６ａ  ころ転走面
１８  窓孔
２２  凹溝
２８  凸部
【図１】
2006112584.tif 000003
【図２】
2006112584.tif 000004
【図３】
2006112584.tif 000005
【図４】
2006112584.tif 000006
【図５】
2006112584.tif 000007
【図６】
2006112584.tif 000008
【図７】
2006112584.tif 000009
【図８】
2006112584.tif 000010
【図９】
2006112584.tif 000011
【図１０】
2006112584.tif 000012